(57)【特許請求の範囲】
【請求項１】
券を発行する券発行手段と、
この券発行手段により発行される券を集積し束にしたのち、包装材により包装する包装手段と、
この包装手段により包装された束を入口部から搬入させて出口部から搬出させる加熱炉と、
この加熱炉内に設けられた空気の循環路と、
この加熱炉内に設けられた熱源と、
この熱源により加熱された空気を前記加熱炉内で循環させ、この循環する加熱空気により、前記束の包装材を加熱し収縮させる送風手段と、
前記加熱炉に設けられ、前記循環路に沿って循環する熱風の一部を導入させて前記加熱炉の内外を遮断する渦流を形成する渦流形成部と、
を具備することを特徴とする券処理装置。
【請求項２】
券を発行する券発行手段と、
この券発行手段により発行される券を集積し束にしたのち、包装材により包装する包装手段と、
この包装手段により包装された束を入口部から搬入させて出口部から搬出させる加熱炉と、
この加熱炉内に設けられた空気の循環路と、
この加熱炉内に設けられた熱源と、
この熱源により加熱された空気を前記加熱炉内で循環させ、この循環する加熱空気により、前記束の包装材を加熱し収縮させる送風手段と、
前記加熱炉の入口部及び出口部にそれぞれ設けられ、前記循環路に沿って循環する熱風の一部を導入させて前記加熱炉の内外を遮断する渦流を形成する渦流形成部と、
を具備することを特徴とする券処理装置。
【請求項３】
券を発行する券発行手段と、
この券発行手段により発行される券を集積し束にしたのち、第１および第２の包装材により包んで包装する包装手段と、
この包装手段により束を包装した第１及び第２の包装材を加熱部で互いに溶着して切断する切断手段と、
この切断手段の加熱部を被覆し前記第１及び第２の包装材の溶着部を加熱部から剥離させる剥離部材と、
この剥離部材を巻き取る巻取手段と、
前記包装手段により包装された束を通過させる加熱炉と、
この加熱炉内に設けられた熱源と、
この熱源により加熱された空気を前記加熱炉内で循環させ、この循環する加熱空気により、前記束の包装材を加熱し収縮させる送風手段と、
を具備することを特徴とする券処理装置。
【発明の詳細な説明】
【０００１】
【発明の属する技術分野】
本発明は、たとえば、乗車券、カード等を発行し包装する発券包装機として適用される券処理装置に関する。
【０００２】
【従来の技術】
発券包装機は券類を発行する発券機と、この発券機により発行された券類を束にして包装を施す把束機から成る。
把束機では、発券機で発券された券類を任意枚数の束にしたのち、上下より包装材としての熱収縮フィルムを被せて、その両端をシールカット部のニクロム線にて溶着して溶断し、ついで、溶断された熱収縮フィルムを加熱炉で加熱して収縮させることにより束を包装するようになっている。
【０００３】
加熱炉は、内部に熱風器を有し、この熱風器から熱風を直接、券紙類の束に吹き付けている。
また、シールカット部のニクロム線には汚れ防止と、熱収縮フィルムの剥離性を向上させるため、剥離フイルムが被せられている。
【０００４】
【発明が解決しようとする課題】
しかしながら、従来においては、加熱炉の内部に熱風器を備えていたため、加熱炉が大型化し、装置全体が大きくなり、設置場所が限定されていた。
また、加熱炉から熱風をたれ流していたため、温度上昇により、周囲環境が悪化していた。
【０００５】
また、加熱炉が大型のため、加熱炉が所定温度になるまでの時間が長く、装置を始動できるまでの待ち時間が長くなっていた。
さらに、加熱炉の内部に熱風器を配置しているため、火災等の危険がある。
【０００６】
また、シール・カット部のニクロム線を覆う剥離フイルムを交換する場合には、その都度、剥離フイルムを着脱させる構造となっていたため、剥離フイルムの交換作業が手間取りメンテナンス性が悪いという不都合があった。
【０００７】
本発明は上記実情に鑑みなされたもので、小型化を可能とし、加熱効率及びメンテナンス性に優れ、周囲環境を悪化させることなく、安全な券処理装置を提供することを目的とする。
【０００８】
【課題を解決するための手段】
本発明は上記課題を解決するため、請求項１記載のものは、券を発行する券発行手段と、この券発行手段により発行される券を集積し束にしたのち、包装材により包装する包装手段と、この包装手段により包装された束を入口部から搬入させて出口部から搬出させる加熱炉と、この加熱炉内に設けられた空気の循環路と、この加熱炉内に設けられた熱源と、この熱源により加熱された空気を前記加熱炉内で循環させ、この循環する加熱空気により、前記束の包装材を加熱し収縮させる送風手段と、前記加熱炉に設けられ、前記循環路に沿って循環する熱風の一部を導入させて前記加熱炉の内外を遮断する渦流を形成する渦流形成部とを具備する。
【０００９】
請求項２記載のものは、券を発行する券発行手段と、この券発行手段により発行される券を集積し束にしたのち、包装材により包装する包装手段と、この包装手段により包装された束を入口部から搬入させて出口部から搬出させる加熱炉と、この加熱炉内に設けられた空気の循環路と、この加熱炉内に設けられた熱源と、この熱源により加熱された空気を前記加熱炉内で循環させ、この循環する加熱空気により、前記束の包装材を加熱し収縮させる送風手段と、前記加熱炉の入口部及び出口部にそれぞれ設けられ、前記循環路に沿って循環する熱風の一部を導入させて前記加熱炉の内外を遮断する渦流を形成する渦流形成部とを具備する。
【００１０】
請求項３記載のものは、券を発行する券発行手段と、この券発行手段により発行される券を集積し束にしたのち、第１および第２の包装材により包んで包装する包装手段と、この包装手段により束を包装した第１及び第２の包装材を加熱部で互いに溶着して切断する切断手段と、この切断手段の加熱部を被覆し前記第１及び第２の包装材の溶着部を加熱部から剥離させる剥離部材と、この剥離部材を巻き取る巻取手段と、前記包装手段により包装された束を通過させる加熱炉と、この加熱炉内に設けられた熱源と、この熱源により加熱された空気を前記加熱炉内で循環させ、この循環する加熱空気により、前記束の包装材を加熱し収縮させる送風手段とを具備する。
【００１７】
【発明の実施の形態】
以下、本発明を図面に示す一実施の形態を参照して説明する。
図１は発券包装機を示す正面図で、図２はその平面図、図３はその側面図である。
【００１８】
図中Ｔは机で、この机Ｔの上面部には券を発行する券発行手段としての２台の発券機１，１と、発行された券を任意の枚数の束で把束包装する包装手段としての把束機２と、機器全体を制御する制御用コンピュータ３と、包装枚数等の各種の情報を出力するプリンタ４が載置されている。
【００１９】
把束機２の正面には包装された券を排出する券出口６が設けられているとともに、側面部には券を手差させる手差し部５が設けられ、手動でも包装を行うことができるようになっている。
【００２０】
１束の券枚数及び束の数は、制御用コンピュータ３にて任意に設定でき、１度発券を開始すると、設定束数が終了するまで、自動にて動作するものとする。発券機１としては、どのような種類の発券機（例えば、乗車券、カード等）でもよい。
【００２１】
発券機１によって、発券された券は、把束機２にて任意の枚数の束にされ、後述する包装材としてのフィルムにて包装されたのち、把束機２の券出口６から排出されるようになっている。
【００２２】
図４は把束機２を示す背面図で、図５はその平面図、図６はその側面図である。
把束機２の一側部には、発券機１，１により発券された券をそれぞれ集積し束にするための集積部１１，１１が設けられている。集積部１１，１１間には束にされた券を把束機２の内部に向かって供給する供給部１２が設けられている。把束機２の略中央部には供給部１２によって移送されてくる券を待機させる券待機部１７が設けられている。券待機部１７の近傍には、該券待機部１７に待機された券を移送するためプッシャ１４が供給部１２の移送方向と直交する方向に沿って移動自在に設けられている。
【００２３】
把束機２内のリア側には、熱収縮性のフィルムを供給するためのフィルム供給部１５Ａ，１５Ｂが配設されている。
上下部のフィルム供給部１５Ａ，１５Ｂは第１及び第２の包装材としてのフィルム１５ａ，１５ｂを供給する供給リール１８，１９を備え、これら供給リール１８，１９から送り出されるフィルム１５ａ，１５ｂは送りローラ２３…に掛け渡されて後述する切断手段としてのシールカット部１３に送られるようになっている。
【００２４】
プッシャ１４による束の送り出し方向にはシールカット部１３及び束をその送り出し方向に沿って搬送する搬送手段２５が配設されている。搬送手段２５は空気の流れを遮断することのない構成を有する第１および第２の搬送チェーン２６，２７によって構成されている。
【００２５】
把束機２のフロント側には、束を包装した熱収縮のフィルム１５ａ，１５ｂを加熱するための加熱炉２９が設けられ、この加熱炉２９内に第２の搬送チェーン２６が挿通されている。
【００２６】
発券機１１，１１により発券された券は集積部１１，１１に集積されて束にされる。集積部１１，１１で束にされた券は、供給部１２に送られ、この供給部１２により券待機部１７まで移送される。券待機部１７に移送された券は、プッシャ１４により、シールカット部１３に移送される。このとき、券は上下のフィルム供給部１５Ａ，１５Ａから送られる熱収縮フィルム１５ａ，１５ｂで包まれる。
【００２７】
熱収縮フィルム１５ａ，１５ｂで包まれた券は、加熱炉２９の入口部２９ａから内部に移送され、後述するように熱にてフィルム１５ａ，１５ｂが収縮されたのち、券の束２８を包装する。包装された券の束は出口部２９ｂから排出される。
【００２８】
図７はシール・カット部１３を示すものである。
図中２０はシール台で、このシール台２０の上方部には上下動自在にシール押さえ１６が設けられている。シール台２０の上面部にはシール押さえ１６によって密着された下フィルム１５ａと上フィルム１５ｂを加熱し溶着溶断するための加熱部としてのニクロム線２２が設けられている。ニクロム線２２は、その汚れ防止と、溶着されたフィルム１５ａ，１５ｂを剥離させる必要性から、剥離部材としての剥離フィルム２４によりカバーされている。剥離フィルム２４の両端部は巻取手段を構成する掻取軸２１ａと供給軸２１ｂとに巻回され、剥離フィルム２４が破損した場合などには、巻取れる構造になっている。
【００２９】
下フィルム１５ｂと上フィルム１５ａは、上下フィルム接合点Ｓ１にて溶着されている。ここに、プッシャ１４にて押された券の束２８が入ってくる。束２８が規定位置まで、押込まれた後、シール押さえ１６が下降し、ニクロム線２２にて加熱されシール・カットされ、このとき、束２８の後端側に新たな接合点Ｓ２が作られる。この接合点Ｓ２は次券の前部接合点となり、この繰り返しで、次々と券の束２８がフィルム１５ａ，１５ｂにより包まれることになる。
【００３０】
図８は加熱炉２９を示す側面図で、図９はその横断面図である。
図中３０は炉本体で、この炉本体３０内にはヒータ３１が設けられている。ヒータ３１の近傍には加熱された熱気を循環路３２に沿って送風する送風手段としてのファン３３が設けれている。炉本体３０の外部にはファン３３を回転駆動する駆動手段としての駆動モータ３３ａが設けられている。循環路３２内には循環する熱気の温度を測定する熱電対３５が挿入され、その測定温度により、ヒータ３１の発熱が制御され一定温度に保たれるようになっている。
【００３１】
券の束２８は第１及び第２の搬送チェーン２６，２７に載置されて搬送され、熱気の循環路３２を横切るように通過することにより加熱され、そのフィルム１５ａ，１５ｂが収縮して包装される。
【００３２】
一方、炉本体３０の出入口部２９ａ，２９ｂには、出入口部２９ａ，２９ｂからの熱気の漏れを防ぐための渦流形成部としての庇部４１ａ，４１ｂが設けれている。
【００３３】
庇部４１ａ，４１ｂ内では図８に示すように、循環路３２内を流れる熱気の一部が入り込み、庇部４１ａ，４１ｂ内で矢印に示すように、渦流が形成され、熱風が外部に漏れるのを防止している。
【００３４】
なお、加熱炉２９の外壁と内壁の間には断熱材４３が装填されている。図中４４はヒータ３１自身の温度を測定する熱電対４４で、ヒータ２１の加熱を防止するものである。
【００３５】
この実施の形態によれば、加熱炉２９内で熱風を循環させて束のフィルム１５ａ，１５ｂを加熱するため、加熱炉２９内に熱風器を備えるものと比較して加熱炉２９を小型化でき、装置全体をコンパクト化できる。
【００３６】
また、加熱炉２９内で熱気を循環させるため、熱気が外部に漏れず、温度上昇による周囲環境の悪化を防止することができる。
また、加熱炉２９をコンパクト化し、熱気を循環させるため、熱容量を小さくして高効率の加熱炉を実現でき、装置始動時の待ち時間を短縮化できる。
【００３７】
さらに、熱風循環式で、温度をコントロールするため、装置の安全性を向上できる。
また、シール・カット部１３のニクロム線２２を覆う剥離フィルム２２を巻取り式とするため、従来のように、剥離部材を着脱させる必要がなく、メンテナンス性を向上できる。
【００３８】
【発明の効果】
本発明は以上説明したように、加熱炉内で加熱空気を循環させて束の包装材を加熱するため、加熱炉内に熱風器を備えるものと比較して小型化が可能になり、装置全体をコンパクト化できる。
【００３９】
また、加熱炉を小型化できるため、熱容量を小さくして高効率の加熱炉を実現でき、装置始動時の待ち時間を短縮化できる。
さらに、熱風循環式で、温度をコントロールするため、装置の安全性が向上する。
【００４０】
また、加熱炉内において熱気を循環させるため、熱気が外部に流出することがなく、温度上昇による周囲環境の悪化を防ぐことができる。
また、切断手段の加熱部を覆う剥離部材を巻取り式とするため、剥離部材の交換作業を簡略化し、メンテナンス性を向上できる。
さらに、加熱炉の出入口部に加熱炉の内外を遮断する渦流を形成する渦流を形成部を設けるため、加熱効率をより一層向上することができる。
【図面の簡単な説明】
【図１】本発明の一実施の形態である発券包装機を示す正面図。
【図２】発券包装機を示す平面図。
【図３】発券包装機を示す側面図。
【図４】把束機を示す背面図。
【図５】把束機を示す平面図。
【図６】把束機を示す側面図。
【図７】シールカット部を示す構成図。
【図８】加熱炉を示す側面図。
【図９】加熱炉を示す平断面図。
【符号の説明】
１，１…発券機（券発行手段）
２…把束機（把束手段）
１３…シールカット部（切断手段）
２２…ニクロム線（加熱部）
１５ａ…フィルム（第１の包装材）
１５ｂ…フィルム（第２の包装材）
２８…束
２９…加熱炉
３１…ヒータ（熱源）
３３…送風ファン（送風手段）
３３ａ…モータ（駆動源）
４１ａ，４１ｂ…庇部（渦流形成部）
【図１】
0003860290.tif 000002
【図２】
0003860290.tif 000003
【図３】
0003860290.tif 000004
【図４】
0003860290.tif 000005
【図５】
0003860290.tif 000006
【図６】
0003860290.tif 000007
【図７】
0003860290.tif 000008
【図８】
0003860290.tif 000009
【図９】
0003860290.tif 000010